(57)【要約】【課題】伝送装置において、任意の入出力ユニット間でＢＤＩ／ＢＥＩ情報を容易に共有化する。【解決手段】実施形態の伝送装置は、現用系の第１入出力ユニットと、予備系の第２入出力ユニットと、第１および第２入出力ユニットの伝送方向の前方に対応する第３入出力ユニットと、第１、第２および第３入出力ユニットが接続されるスイッチユニットとを有する。第１入出力ユニットは、障害を検出した場合、伝送方向の後方への障害の通知を、スイッチユニットを介して第３入出力ユニットへ依頼する。第３入出力ユニットは、第１入出力ユニットより障害の通知の依頼があった場合、障害を示す障害情報を、スイッチユニットを介して第１および第２入出力ユニットへ送信する。【選択図】図２
2016001847.tif 000002
【特許請求の範囲】
【請求項１】
現用系の第１入出力ユニットと、
予備系の第２入出力ユニットと、
前記第１および第２入出力ユニットの伝送方向の前方に対応する第３入出力ユニットと、
前記第１、第２および第３入出力ユニットが接続されるスイッチユニットと、を有し、
前記第１入出力ユニットは、障害を検出した場合、前記伝送方向の後方への前記障害の通知を、前記スイッチユニットを介して前記第３入出力ユニットへ依頼し、
前記第３入出力ユニットは、前記第１入出力ユニットより前記障害の通知の依頼があった場合、前記障害を示す障害情報を、前記スイッチユニットを介して前記第１および第２入出力ユニットへ送信する
ことを特徴とする伝送装置。
【請求項２】
前記第１入出力ユニットは、前記スイッチユニットを介して伝送する信号のオーバーヘッド領域の所定位置に前記障害の通知を含めて前記第３入出力ユニットへの依頼を行う
請求項１に記載の伝送装置。
【請求項３】
前記第３入出力ユニットは、前記スイッチユニットを介して伝送する信号のオーバーヘッド領域の所定位置に前記障害情報を含めて前記第１および第２入出力ユニットへ送信し、
前記第１および第２入出力ユニットは、前記オーバーヘッド領域の所定位置に含まれる前記障害情報に基づいて、前記伝送方向の後方へのＢＤＩ（Backward  Defect  Indication）送信を行う
請求項１又は２に記載の伝送装置。
【請求項４】
現用系の第１入出力ユニットと、予備系の第２入出力ユニットと、前記第１および第２入出力ユニットの伝送方向の前方に対応する第３入出力ユニットと、前記第１、第２および第３入出力ユニットが接続されるスイッチユニットとを有する伝送装置の伝送方法であって、
前記第１入出力ユニットは、障害を検出した場合、前記伝送方向の後方への前記障害の通知を、前記スイッチユニットを介して前記第３入出力ユニットへ依頼し、
前記第３入出力ユニットは、前記第１入出力ユニットより前記障害の通知の依頼があった場合、前記障害を示す障害情報を、前記スイッチユニットを介して前記第１および第２入出力ユニットへ送信する
ことを特徴とする伝送方法。
【発明の詳細な説明】
【技術分野】
【０００１】
本発明の実施形態は、伝送装置および伝送方法に関する。
【背景技術】
【０００２】
従来、大容量長距離伝送ネットワークにおいては、ＯＴＮ（Optical  Transport  Network）が広く採用されている。このＯＴＮは、ＩＴＵ−Ｔ（International  Telecommunication  Union  Telecommunication  Standardization  Sector）で標準化されている技術である。
【０００３】
ＯＴＮでの主信号であるＯＴＵ（Optical  Transport  Unit）信号は、レイヤの入れ子構造となっている。この入れ子構造は、ＩＴＵ−Ｔ  Ｇ．７０９に示されているように、一番外側がＯＴＵｋレイヤ、次にＯＤＵｋ−ＴＣＭ（ＴＣＭ：Tandem  Connection  Monitoring）レイヤ、ＯＤＵｋ−ＰＭ（ＰＭ：Path  Monitoring）と続く構造である。また、ｃｈａｎｎｅｌｉｚｅｄ構成の場合には、ＯＤＵｊ−ＴＣＭレイヤ、ＯＤＵｊ−ＰＭレイヤと続く構造である。
【０００４】
ＯＴＮでは、装置もしくは伝送路での障害等（光ファイバ断など）に備えて、冗長構成が組まれる。この冗長構成の組み方は、ＩＴＵ−Ｔ  Ｇ．８７３．１（０７／２０１１）において、ＳＮＣ  ｐｒｏｔｅｃｔｉｏｎ（ＳＮＣ：Subnetwork  connection）として規定されている。
【０００５】
図５、図６は、ＩＴＵ−Ｔで標準化されているＯＴＮを説明する説明図である。図５は、ＩＴＵ−Ｔ  Ｇ．７９８．１（０１／２０１３）Ｆｉｇｕｒｅ  ＩＩ−３に示された図であり、左側には機能的モデルが示されており、右側には実装モデルが示されている。また、図６は、ＩＴＵ−Ｔ  Ｇ．７９８．１（０１／２０１３）Ｆｉｇｕｒｅ  ＩＩ−４に示された図であり、左側には機能的モデルが示されており、右側には実装モデルが示されている。
【０００６】
図５、図６に示すように、ＳＮＣ  ｐｒｏｔｅｃｔｉｏｎのうち、ＨＯ  ＯＤＵｋ  ＳＮＣ／Ｓ（図５参照）、ＨＯ  ＯＤＵｋ  ＳＮＣ／Ｉ（図６参照）と呼ばれているものは、入れ子構造の上位レイヤを終端して障害を検出した場合に、冗長構成の下位レイヤを切り替える構成である。
【０００７】
ＯＴＮの伝送装置は、他の装置とＯＴＮの信号（光信号）が接続される複数の入出力ポートユニット（以下、入出力ユニットとも呼ぶ）と、ＯＴＮの信号をクロスコネクト処理または冗長処理（プロテクション処理）を行うスイッチユニットとを有している。また、伝送装置において、複数の入出力ユニットと、スイッチユニットとは、バックボード（ＢＷＢ、バックワイヤードボード）上の物理線によって、例えば電気信号で接続される。
【０００８】
ＯＴＮでは、一般に警報転送と呼ばれる処理が規定されている。この警報転送では、あるレイヤで伝送路の障害が検出された場合、そのレイヤの前方（Forward）方向の入出力ユニットに対してはＡＩＳ（Alarm  Indication  Signal）とＢＩＰ（Bit  Interleaved  Parity）をオーバーヘッド情報などを使って送信する必要がある。また、後方（Backward）方向の入出力ユニットに対しては、ＢＤＩ（Backward  Defect  Indication）／ＢＥＩ（Backward  Error  Indication）をオーバーヘッド情報を使って送信する必要がある。
【０００９】
図６の左側には、機能的モデルが示されているが、図示の下方向から来た回線に対して、一番下の三角形のところではＯＴＵｋを終端している。この終端しているところでは、回線障害情報を切替のトリガとしてＯＤＵｋレベルでＳＮＣ  ｐｒｏｔｅｃｔｉｏｎの切替を行う。次には、ＯＤＵｋＴの三角形のところで、ＯＤＵｋ−ＴＣＭレイヤの終端（ここで、ＴＣＭ−ＢＤＩ要因の回線障害があれば後方へＯＤＵｋ  ＴＣＭ−ＢＤＩを送信する）を行う。次には、ＯＤＵｋ−ＰＭレイヤの終端（ここで、ＯＤＵｋ−ＢＤＩ要因の回線障害があれば後方へＯＤＵｋ−ＢＤＩを送信する）を行う。次には、ＯＤＵｊＴの三角形のところで、ＯＤＵｊＴＣＭレイヤの終端（ここで、ＯＤＵｊＴＣＭ−ＢＤＩ要因の回線障害があれば後方へＯＤＵｊＴＣＭ−ＢＤＩを送信する）を行う。残ったＯＤＵｊの信号は、一番上の円形部分において、スイッチユニットでクロスコネクトされる。
【００１０】
しかしながら、一般的な装置構成である実際の実装モデルは、図６の右側のようになる。すなわち、ＯＤＵｋ  ＳＮＣ  ｐｒｏｔｅｃｔｉｏｎとＯＤＵｊクロスコネクトの機能部分をスイッチユニットで一括して行う。そして、ＯＴＵｋ、ＯＤＵｋ−ＴＣＭ、ＯＤＵｋ−ＰＭ、更にＯＤＵｊ−ＴＣＭの全レイヤの終端を冗長構成（ＡＣＴ（アクト、現用系）側、ＳＴＢＹ（スタンバイ、予備系）側）両方の入出力ユニットでそれぞれ行う。
【００１１】
本来、論理的（機能的）には、ＯＤＵｋ−ＴＣＭ、ＯＤＵｋ−ＰＭ、ＯＤＵｊ−ＴＣＭレイヤは、図６の左側のように、ＳＮＣ  ｐｒｏｔｅｃｔｉｏｎによって選ばれるため、ＡＣＴ側しか存在しないはずである。ところが、図３の右側のように、一般的な装置構成の場合、ＡＣＴ側とＳＴＢＹ側の両方が存在することになる。よって、ＡＣＴ側とＳＴＢＹ側の両方にＯＤＵｋ−ＴＣＭ、ＯＤＵｋ−ＰＭ、ＯＤＵｊ−ＴＣＭレイヤの終端ができ、それぞれの終端でＢＤＩについての警報転送を行うことになる。
【００１２】
本来では、ＡＣＴ側の前方方向のＯＤＵｋ−ＴＣＭ、ＯＤＵｋ−ＰＭ、ＯＤＵｊ−ＴＣＭレイヤでの回線障害要因によるＢＤＩをＡＣＴ側とＳＴＢＹ側両方の後方方向の回線へ送信（転送）すべきである。しかしながら、実際の実装モデルでは、ＡＣＴ側、ＳＴＢＹ側それぞれで後方方向の転送を行っている。よって、Unidirectional（片方向）  Line  Protectionにおいて、前方方向にはＡＩＳアラームを出すが後方方向にＢＤＩアラームを出さないケースや、その逆のような不整合なケースが生じることになる。
【００１３】
図７は、障害時のＢＤＩ送信を説明する説明図である。図７において、「Ａ」、「Ｄ」は１ＧＥ（Giga  bit  Ethernet（登録商標））からＯＴＵ０への変換またはその逆変換を行うトランスポンダである。また、「Ｂ」、「Ｃ」は、ＳＮＣ／Ｉ区間（ＯＴＵ２）を接続するクロスコネクト装置である。図７に示すように、ケースＣ１では、ＳＮＣ／Ｉ区間（ＯＴＵ２）の断発生（回線障害）に対して、前方のＣからＤに向かってＯＤＵ１−ＡＩＳアラームを出すが、後方のＢからＡへはＢＤＩ−ＯＤＵ１Ｔを出さない。逆に、ケースＣ２では、ＳＮＣ／Ｉ区間（ＯＴＵ２）の断発生（回線障害）に対して、前方にはＯＤＵ１−ＡＩＳを出さずに、後方にはＢＤＩ−ＯＤＵ１Ｔを出している。
【００１４】
この不整合なケースＣ１、Ｃ２を回避する方法として、２つの入出力ユニットを物理線で接続し、ＢＤＩ／ＢＥＩ（以下、ＢＥＩは省略する場合がある）情報をやり取りする構成がある。
【００１５】
図８、図９は入出力ポートユニットの物理線での接続を説明する説明図である。具体的には、図８は、ＩＴＵ−Ｔ  Ｇ．７９８（０１／２０１３）  Ａｐｐｅｎｄｉｘ  ＩＩで示されている図であり、上段および下段に示した２つの入出力ユニットの物理的な接続を例示している。図９は、ＩＴＵ−Ｔ  Ｇ．７９８（０１／２０１３）  Ａｐｐｅｎｄｉｘ  ＩＩで示されている構成を実施した伝送装置２００を例示している。
【００１６】
図８の例では、Ｐｒｏｔｅｃｔｉｏｎを構成している隣り合う２つの入出力ユニットを物理線（ＢＤＩ／ＢＥＩ  ｃｒｏｓｓ−ｃｏｕｐｌｉｎｇ  ｔｏ  ｍａｔｅ  ｃａｒｄ）で接続している。具体的には、図９に示すように、伝送装置２００は、バックボード２３０を介して接続する入出力ユニット２１０Ａ、２１０Ｂ、２１０Ｃおよびスイッチユニット２２０を有している。そして、隣り合う２つの入出力ユニット２１０Ａ、２１０Ｂのパス終端２１１は、物理線２３１により接続されている。この物理線２３１により、隣り合う２つの入出力ユニット２１０Ａ、２１０Ｂは、ＯＤＵｋ−ＴＣＭ、ＯＤＵｋ−ＰＭ、ＯＤＵｊ−ＴＣＭレイヤで検出されたＢＤＩ／ＢＥＩ情報をやり取りする。
【先行技術文献】
【非特許文献】
【００１７】
【非特許文献１】ＩＴＵ−Ｔ  Ｇ．７９８（０１／２０１３）  Ａｐｐｅｎｄｉｘ  ＩＩ
【発明の概要】
【発明が解決しようとする課題】
【００１８】
しかしながら、上述した従来技術では、バックボードに設けられた任意の入出力ユニット間でＢＤＩ／ＢＥＩ情報をやり取りする場合には、その任意のユニット間に新たな物理線を設ける必要があった。例えば、隣り合う２つの入出力ユニット以外の、任意の入出力ユニットの組み合わせでＬｉｎｅ  Ｐｒｏｔｅｃｔｉｏｎをする場合には、その入出力ユニット間を接続する物理線が必要となる。このため、任意の入出力ユニット間でＢＤＩ／ＢＥＩ情報をやり取りして共有化することは容易に行うことができなかった。例えば、入出力ユニット間を接続する物理線がバックボードに事前に用意していない場合には、物理線を新たに設けたバックボードに交換する必要があり、手間のかかる交換作業を要していた。
【００１９】
一つの側面では、伝送装置において、任意の入出力ユニット間でＢＤＩ／ＢＥＩ情報を容易に共有化できることにある。
【課題を解決するための手段】
【００２０】
一つの態様では、伝送装置は、現用系の第１入出力ユニットと、予備系の第２入出力ユニットと、第１および第２入出力ユニットの伝送方向の前方に対応する第３入出力ユニットと、第１、第２および第３入出力ユニットが接続されるスイッチユニットとを有する。第１入出力ユニットは、障害を検出した場合、伝送方向の後方への障害の通知を、スイッチユニットを介して第３入出力ユニットへ依頼する。第３入出力ユニットは、第１入出力ユニットより障害の通知の依頼があった場合、障害を示す障害情報を、スイッチユニットを介して第１および第２入出力ユニットへ送信する。
【発明の効果】
【００２１】
一つの側面として、伝送装置において、任意の入出力ユニット間でＢＤＩ／ＢＥＩ情報を容易に共有化できる。
【図面の簡単な説明】
【００２２】
【図１】図１は、実施形態にかかる伝送装置の装置構成を説明する説明図である。
【図２】図２は、実施形態にかかる伝送装置の機能構成を例示するブロック図である。
【図３】図３は、実施形態にかかる伝送装置の動作を説明する説明図である。
【図４】図４は、ＯＴＮフレームの構成を説明する説明図である。
【図５】図５は、ＩＴＵ−Ｔで標準化されているＯＴＮを説明する説明図である。
【図６】図６は、ＩＴＵ−Ｔで標準化されているＯＴＮを説明する説明図である。
【図７】図７は、障害時のＢＤＩ送信を説明する説明図である。
【図８】図８は、入出力ポートユニットの物理線での接続を説明する説明図である。
【図９】図９は、入出力ポートユニットの物理線での接続を説明する説明図である。
【発明を実施するための形態】
【００２３】
以下、図面を参照して、実施形態にかかる伝送装置および伝送方法を説明する。実施形態において同一の機能を有する構成には同一の符号を付し、重複する説明は省略する。なお、以下の実施形態で説明する伝送装置および伝送方法は、一例を示すに過ぎず、実施形態を限定するものではない。また、以下の各実施形態は、矛盾しない範囲内で適宜組みあわせてもよい。
【００２４】
図１は、実施形態にかかる伝送装置１の装置構成を説明する説明図である。図１に示すように、伝送装置１は、バックボード３０の複数のスロットに入出力ユニット１０、スイッチユニット２０等を搭載する、例えばシェルフ型の装置である。バックボード３０に搭載された入出力ユニット１０およびスイッチユニット２０は、バックボード３０上のケーブル（物理線）を介して互いに接続される。
【００２５】
入出力ユニット１０は、複数のポートを有するインターフェースユニットである。各ポートは、ネットワーク網を構成する光ファイバケーブル又はイーサネット（登録商標）のケーブル等の伝送路が接続される。入出力ユニット１０は、各ポートに接続される伝送路を介して、信号の送受信を行う。また、入出力ユニット１０には、装置もしくは伝送路での障害等（光ファイバ断など）に備え、通常時に用いられる現用系のユニットと、障害時に切り替えられる待機系のユニットとがあってよい。
【００２６】
スイッチユニット２０は、入出力ユニット１０の各ポートより入力された信号を、その信号の宛先となる各ポートに振り分けるクロスコネクト処理を行う。また、スイッチユニット２０は、現用系の入出力ユニット１０に障害が生じた際に、待機系の入出力ユニット１０へ切り替えるプロテクション処理を行う。
【００２７】
シェルフ型の伝送装置１では、必要とされる性能や機能に応じて、バックボード３０のスロットに実装する入出力ユニット１０、スイッチユニット２０の構成を変更することで、目的に適した構成を柔軟に実現できる。
【００２８】
図２は、実施形態にかかる伝送装置１の機能構成を例示するブロック図である。なお、図２の例では、伝送路２Ａ、２Ｂ、２Ｃを介したネットワーク網の伝送方向について、右側を伝送方向に対する前方（Ｆｏｒｗａｒｄ）方向としている。逆に、左側は伝送方向に対する後方（Ｂａｃｋｗａｒｄ）方向としている。
【００２９】
図２に示すように、スイッチユニット２０には、バックボード３０を介して、入出力ユニット１０Ａ、１０Ｂ、１０Ｃと、上位装置４０とが接続されている。上位装置４０は、例えばＭＣＵ（Micro  Controller  Unit）等であり、スイッチユニット２０におけるクロスコネクト処理およびプロテクション処理を制御する。
【００３０】
入出力ユニット１０Ａ、１０Ｂ、１０Ｃはそれぞれ伝送路２Ａ、２Ｂ、２Ｃを接続する。ここで、入出力ユニット１０Ａ、１０Ｂは、一方を現用系とし、他方を待機系とする冗長構成としている。なお、本実施形態では、入出力ユニット１０Ａを現用系、入出力ユニット１０Ｂを待機系として用いるものとする。入出力ユニット１０Ｃは、入出力ユニット１０Ａ、１０Ｂを介する経路の前方に対応するユニットである。
【００３１】
入出力ユニット１０Ａ、１０Ｂは、伝送路２Ａ、２Ｂにおける障害を検出した場合に警報を転送するための処理を行う警報転送部１１を有する。警報転送部１１は、例えば、ハードウエア回路またはソフトウェアプログラムを実行するプロセッサにより実現される。
【００３２】
警報転送部１１は、ＢＤＩ警報判定部１１０、リクエスト送信部１１１およびＢＤＩ送信部１１２を有する。ＢＤＩ警報判定部１１０は、伝送路から入力される信号をもとに、ＢＤＩ送信の要因となるアラーム（警報）を検出する。ＢＤＩ警報判定部１１０は、この検出結果をリクエスト送信部１１１へ出力する。
【００３３】
リクエスト送信部１１１は、ＢＤＩ送信の要因となるアラームが検出された場合、その検出されたアラームに対応したＢＤＩ送信を依頼するＢＤＩ送信リクエストＩ１を、スイッチユニット２０を介して前方の入出力ユニット１０Ｃへ通知する。具体的には、リクエスト送信部１１１は、スイッチユニット２０を介して送信する主信号である、ＯＴＵ信号のオーバーヘッドにＢＤＩ送信リクエストＩ１を含めて通知する。
【００３４】
ここで、ＢＤＩ送信リクエストＩ１は、ＯＴＵ信号のオーバーヘッドの中で拡張使用として予約されているＲｅｓｅｒｖｅ領域を用いて通知してもよい。また、ＯＴＵ信号のオーバーヘッドのうち、前方方向の各レイヤのＢＤＩ／ＢＥＩ領域を用いて通知してもよい。前方方向におけるＢＤＩ／ＢＥＩは入力側の入出力ユニット１０Ａで終端される。このため、入出力ユニット１０Ａからスイッチユニット２０を介して入出力ユニット１０Ｃに至る間では、ＯＴＵ信号のオーバーヘッドのうち、前方方向の各レイヤのＢＤＩ／ＢＥＩ領域について規格上の規定がない。よって、ＢＤＩ／ＢＥＩ領域を用いたＢＤＩ送信リクエストＩ１の通知が可能である。
【００３５】
上述したＢＤＩ警報判定部１１０、リクエスト送信部１１１により、入出力ユニット１０Ａの警報転送部１１は、伝送路２Ａでの障害を検出した場合、伝送方向の後方へ障害を通知するためのＢＤＩ送信を、スイッチユニット２０を介して入出力ユニット１０Ｃに依頼する。ＢＤＩ送信部１１２は、入出力ユニット１０Ｃよりスイッチユニット２０を介して伝送されたＢＤＩ情報Ｉ２をもとに、伝送方向の後方方向へＢＤＩを送信する。
【００３６】
入出力ユニット１０Ｃは、入出力ユニット１０ＡからのＢＤＩ送信リクエストＩ１があった場合に、ＢＤＩ情報Ｉ２を入出力ユニット１０Ａ、１０Ｂへ転送するための処理を行う警報転送部１２を有する。警報転送部１２は、例えば、ハードウエア回路またはソフトウェアプログラムを実行するプロセッサにより実現される。
【００３７】
警報転送部１２は、ＢＤＩリクエスト受信部１２０およびＢＤＩ情報送信部１２１を有する。ＢＤＩリクエスト受信部１２０は、入出力ユニット１０Ａからスイッチユニット２０を介したＯＴＵ信号より送信されるＢＤＩ送信リクエストＩ１を受信する。また、ＢＤＩリクエスト受信部１２０は、受信したＢＤＩ送信リクエストＩ１をＢＤＩ情報送信部１２１へ通知し、前方方向におけるＢＤＩ送信リクエストＩ１の伝送を終端する。
【００３８】
ＢＤＩ情報送信部１２１は、ＢＤＩ送信リクエストＩ１の通知があった場合、入出力ユニット１０Ａ、１０ＣよりＢＤＩを送信するためのＢＤＩ情報Ｉ２を後方方向へ送信する。具体的には、ＢＤＩ情報送信部１２１は、スイッチユニット２０を介して送信する主信号である、ＯＴＵ信号のオーバーヘッドにＢＤＩ情報Ｉ２を含めて送信する。このＯＴＵ信号は、スイッチユニット２０のブリッジ２２によって、冗長構成を行っている入出力ユニット１０Ａ、１０Ｂに送信される。
【００３９】
ここで、ＢＤＩ情報Ｉ２は、ＢＤＩ送信リクエストＩ１と同様に、ＯＴＵ信号のオーバーヘッドの中で拡張使用として予約されているＲｅｓｅｒｖｅ領域を用いて通知してもよい。また、ＯＴＵ信号のオーバーヘッドのうち、後方方向の各レイヤのＢＤＩ／ＢＥＩ領域を用いて通知してもよい。
【００４０】
スイッチユニット２０は、セレクタ２１、ブリッジ２２を有する。セレクタ２１は、上位装置４０の制御のもと、現用系である入出力ユニット１０Ａまたは待機系である入出力ユニット１０Ｂからの信号を選択して入出力ユニット１０Ｃへ伝送する。例えば、現用系に障害が生じている場合、セレクタ２１は、待機系である入出力ユニット１０Ｂからの信号を選択して入出力ユニット１０Ｃへ伝送する。ブリッジ２２は、上位装置４０の制御のもと、入出力ユニット１０からの信号を、冗長構成を行っている入出力ユニット１０Ａ、１０Ｂへ伝送する。
【００４１】
図３は、実施形態にかかる伝送装置１の動作を説明する説明図である。図３に示すように、入力側にある入出力ユニット１０Ａでは、ＢＤＩ警報判定部１１０が伝送路２Ａから入力される信号をもとに、ＢＤＩの送信要因のアラームを確認して、ＢＤＩ警報の送信判定を行う（Ｓ１）。アラームがある場合、リクエスト送信部１１１は、アラームに対応したＢＤＩ送信を依頼するＢＤＩ送信リクエストＩ１を、ＯＴＵ信号のオーバーヘッドに含めて前方（出力側）の入出力ユニット１０Ｃへ通知する（Ｓ２）。
【００４２】
図４は、ＯＴＮフレームの構成を説明する説明図である。図４に示すように、Ｓ２では、入出力ユニット１０Ａで終端されるＯＤＵｋオーバヘッド（ｏｖｅｒｈｅａｄ）のＢＤＩ／ＢＥＩ領域Ｒ１にＢＤＩ送信リクエストＩ１を含めて通知してもよい。このように、スイッチユニット２０を介して伝送されるＯＴＵ信号に含めてＢＤＩ送信リクエストＩ１を通知することで、装置構成を変更することなく、ＢＤＩ送信リクエストＩ１の通知を行うことができる。
【００４３】
出力側の入出力ユニット１０Ｃでは、ＢＤＩリクエスト受信部１２０がＢＤＩ送信リクエストＩ１を受信する（Ｓ３）。ＢＤＩ情報送信部１２１は、ＢＤＩ送信リクエストＩ１の受信を確認して、ＢＤＩ情報Ｉ２の送信判定を行う（Ｓ４）。入出力ユニット１０ＡからのＢＤＩ送信リクエストＩ１の受信がある場合、ＢＤＩ情報送信部１２１は、ＢＤＩ情報Ｉ２をＯＴＵ信号のオーバーヘッドに含めて後方（入力側）の入出力ユニット１０Ａ、１０Ｂへ送信する（Ｓ５）。
【００４４】
例えば、図４に示すように、Ｓ５では、ＯＤＵｋオーバヘッド（ｏｖｅｒｈｅａｄ）のＢＤＩ／ＢＥＩ領域Ｒ１にＢＤＩ情報Ｉ２を含めて送信してもよい。このように、スイッチユニット２０を介して伝送されるＯＴＵ信号に含めてＢＤＩ情報Ｉ２を送信することで、装置構成を変更することなく、ＢＤＩ送信リクエストＩ１の送信を行うことができる。
【００４５】
入力側の入出力ユニット１０Ａ、１０Ｂでは、ＢＤＩ送信部１１２がＢＤＩ情報Ｉ２を受信する（Ｓ６）。次いで、ＢＤＩ送信部１１２は、ＢＤＩ情報Ｉ２の受信がある場合、伝送方向の後方方向（入出力ユニット１０Ａ、１０Ｂにおける伝送路２Ａ、２Ｂ）へＢＤＩを送信する。
【００４６】
以上のように、伝送装置１では、現用系の入出力ユニット１０Ａが伝送路２Ａの障害を検出した場合、ＢＤＩ送信リクエストＩ１をスイッチユニット２０を介して入出力ユニット１０Ｃへ通知する。入出力ユニット１０Ｃでは、入出力ユニット１０ＡからＢＤＩ送信リクエストＩ１が通知された場合、入出力ユニット１０Ａでの障害に対応したＢＤＩ情報Ｉ２をスイッチユニット２０を介して入出力ユニット１０Ａ、１０Ｂへ送信する。これにより、入出力ユニット１０Ａ、１０Ｃでは、スイッチユニット２０に新たな物理線を用意することなく、ＢＤＩ／ＢＥＩ情報を容易に共有化できる。
【００４７】
また、ＢＤＩ／ＢＥＩ情報を共有化するために新たな物理線をスイッチユニット２０に用意する場合、その物理線の増加によって消費電力量が増える場合がある。また、ＢＤＩ／ＢＥＩで１パスあたり５ｂｉｔ必要である。ＯＤＵ１個あたりでは６ＴＣＭ＋ＰＭの７レイヤである。ＯＴＵ４（１００Ｇ）の場合のＯＤＵ０では、８０ＴＳ(Tributary  Slot)ある。ＯＤＵ０のフレーム周期を１．１６８ｕｓとすると、伝送速度は次のとおりに高速なものとなる。
５ｂｉｔ×７レイヤ×８０ＴＳ／１．１６８ｕｓ＝２．４Ｇｂｐｓ
【００４８】
また、終端しているＯＤＵｘＰＭ、ＴＣＭの後方方向の警報転送が必要であるが、ＯＤＵｘでは伝送速度が異なる。このため、物理線で接続する場合には、調停を考慮する必要がある。しかしながら、本実施形態では、上述した制約のある物理線を用いないことから、ＢＤＩ／ＢＥＩ情報を容易に共有化できる。
【００４９】
なお、本実施形態では、入出力ユニット１０Ａを現用系、入出力ユニット１０Ｂを待機系としたが、装置のレイアウトについては上述した構成に限定しない。例えば、入出力ユニット１０Ｂを現用系、入出力ユニット１０Ａを待機系として用いてもよい。この場合は、入出力ユニット１０Ｂのリクエスト送信部１１１よりＢＤＩ送信リクエストＩ１が入出力ユニット１０Ｃに送信されることとなる。
【００５０】
また、ＢＤＩ情報送信部１２１のＢＤＩ情報Ｉ２の送信は、待機系の入出力ユニット１０Ｂにのみ行ってもよい。現用系の入出力ユニット１０Ａでは、自らが障害を検出していることから、入出力ユニット１０ＣからＢＤＩ情報Ｉ２を受信するまでもなく、ＢＤＩ／ＢＥＩ情報を共有でき、ＢＤＩを送信できる。
【符号の説明】
【００５１】
１…伝送装置
２Ａ、２Ｂ、２Ｃ…伝送路
１０、１０Ａ、１０Ｂ、１０Ｃ…入出力ユニット
１１、１２…警報転送部
２０…スイッチユニット
３０…バックボード
４０…上位装置
１１０…ＢＤＩ警報判定部
１１１…リクエスト送信部
１１２…ＢＤＩ送信部
１２０…ＢＤＩリクエスト受信部
１２１…ＢＤＩ情報送信部
Ｉ１…ＢＤＩ送信リクエスト
Ｉ２…ＢＤＩ情報送信
Ｒ１…ＢＤＩ／ＢＥＩ領域
【図１】
2016001847.tif 000003
【図２】
2016001847.tif 000004
【図３】
2016001847.tif 000005
【図４】
2016001847.tif 000006
【図５】
2016001847.tif 000007
【図６】
2016001847.tif 000008
【図７】
2016001847.tif 000009
【図８】
2016001847.tif 000010
【図９】
2016001847.tif 000011